(57)【要約】【課題】運搬性及び作業性に優れた簡易型防護柵を提供すること。【解決手段】本願発明に係る簡易型防護柵は、防護面を形成するネットと、前記ネットの両側縁の網目に挿通した、一組の支柱と、地面に設置し、前記支柱の下端を差し込んで該支柱を位置決めする、支柱取付具と、を少なくとも備えてなる。本校製によれば、支柱とロープとネットとが一体化されているため、運搬性に優れ、現場での作業性も良好であるほか、支柱の長さを必要最低限に抑えることが出来るため、取り回し性が良く、重量の節減にも寄与する。【選択図】図１
2014005683.tif 000002
【特許請求の範囲】
【請求項１】
防護面を形成するネットと、
前記ネットの両側縁の網目に挿通した、一組の支柱と、
地面に設置し、前記支柱の下端を差し込んで該支柱を位置決めする、支柱取付具と、
を少なくとも備えたことを特徴とする、簡易型防護柵。
【請求項２】
前記ネットの下縁の網目に挿通した、固定ワイヤと、
前記支柱取付具から離間した位置の地面に設置し、前記固定ワイヤを支持する、ワイヤ支持具と、を更に備えたことを特徴とする、請求項１に記載の簡易型防護柵。
【請求項３】
前記支柱取付具の直上に配置し、前記支柱の上端を差し込んで位置決めする、支柱押さえ具、をさらに備えたことを特徴とする、請求項１に記載の簡易型防護柵。
【請求項４】
前記ネットの上縁の網目に挿通した高さ調整ロープ、を更に備えたことを特徴とする、請求項１に記載の簡易型防護柵。
【発明の詳細な説明】
【技術分野】
【０００１】
本発明は、主として小規模落石に対する仮設用の防護柵や動物の侵入を防止する防獣用の防護柵、その他の安全策等として使用することが可能な、簡易型防護柵に関する。
【背景技術】
【０００２】
仮設の落石防護や防獣対策の為に用いる防護柵は、山腹に設置する場合が多く、立木が多く生えている箇所では、立木を支柱代わりとしてロープを張設し、該ロープにネットを架け渡して防護柵を構築する場合がある。
【０００３】
一方、支柱として代替できるものが存在しない現場では、新たに支柱を用意し、現場に運搬して設置する必要が生ずる。
以下の特許文献１に記載の防獣用柵は、間隔を隔てて立てられた支柱間に条体が横架され、ネットが条体の長手方向に弛緩した状態で吊持されたものである。
【先行技術文献】
【特許文献】
【０００４】
【特許文献１】特開２００８−３０６９４０号公報
【発明の概要】
【発明が解決しようとする課題】
【０００５】
しかし、上記した従来技術では、以下に示す問題のうち、少なくとも一つの問題を有する。
（１）支柱を確実に支持すべく、支柱の長さを地面に差し込む分だけ余分に確保しなければならない。支柱の長さが長くなれば長くなるほど、運搬時や現場での取り回しが面倒となったり、支柱自体の重量増加も避けられない為、作業効率が悪化する。
（２）急峻な斜面など、重機での運搬が困難な現場では、支柱の運搬や構築作業を人力に頼らざるを得ないため、より多大な労力を費やすこととなる。
（３）支柱と条体とネットとが別部材であるため、現場での構築に際し、支柱の立設作業と、条体の横架作業と、ネットの吊設作業とを個別に行わなければならず、防護柵の設置作業の効率化に未だ改善の余地が残されている。
【０００６】
すなわち、本願発明は、運搬性及び作業性に優れた簡易型防護柵を提供することを目的とするものである。
【課題を解決するための手段】
【０００７】
前記課題を解決すべくなされた本願発明は、防護面を形成するネットと、前記ネットの両側縁の網目に挿通した、一組の支柱と、地面に設置し、前記支柱の下端を差し込んで該支柱を位置決めする、支柱取付具と、を少なくとも備えたことを特徴とする、簡易型防護柵を提供するものである。
また、前記発明において、前記ネットの下縁の網目に挿通した、固定ワイヤと、前記支柱取付具から離間した位置の地面に設置し、前記固定ワイヤを支持する、ワイヤ支持具とを更に備えてもよい。
また、前記発明において、前記支柱取付具の直上に配置し、前記支柱の上端を差し込んで位置決めする、支柱押さえ具をさらに備えてもよい。
また、前記発明において、前記ネットの上縁の網目に挿通した高さ調整ロープを更に備えてもよい。
【発明の効果】
【０００８】
本願発明によれば、下記に示す効果のうち、少なくとも何れか一つを得ることができる。
（１）支柱の長さを必要最低限に抑えることが出来るため、取り回し性が良い。（２）支柱の重量を節減できるため、低コスト化に寄与する。
（３）支柱とロープとネットとが一体化されているため、運搬性に優れ、現場での作業性も良好である。
（４）ネットスパンの調節が容易である。
（５）以上の通り、簡易な構造で低コスト且つ軽量であり、更に設置方法も簡便で専門的な知識を要しないため、用途、設置場所、作業者を選ばない。
【図面の簡単な説明】
【０００９】
【図１】本発明の簡易型防護柵の実施例を示す概略斜視図。
【図２】図１に係る支柱取付具近傍を示す一部拡大図。
【図３】図１に係るワイヤ固定具近傍を示す一部拡大図。
【図４】図１に係る支柱押さえ具近傍を示す一部拡大図。
【図５】本発明の簡易型防護柵の運搬例を示す概略斜視図。
【発明を実施するための形態】
【００１０】
以下、各図面を参照しながら、本発明の簡易型防護柵の実施例について説明する。
【実施例】
【００１１】
＜１＞全体構成
本発明の簡易型防護柵Ａは、防護面を形成するネット１と、前記ネット１の両側縁の網目に挿通した、一組の支柱２と、地面に設置し、前記支柱の下端を差し込んで該支柱を位置決めする、支柱取付具３と、を少なくとも備えてなる（図１）。
以下、各部材について説明する。
【００１２】
＜２＞ネット
ネット１は、落石を受撃したり、動物の侵入を遮るための防護面を形成する為の部材である。
ネット１の素材は、落石防護や防獣などの用途に応じて、素材や強度等の諸条件を満たす公知の材料を用いればよい。
【００１３】
＜３＞支柱
支柱２は前記ネット１を支持するための部材である。
【００１４】
［支柱の素材］
支柱２の素材は、落石防護や防獣などの用途に応じて、素材や強度等の諸条件を満たす公知の材料を用いればよく、例えば鋼製やＦＲＰ製とすることができる。
【００１５】
［支柱の下端処理］
支柱２の下端は、後述する支柱取付具３に取付可能な処理を施しておくことを要する。本実施例では、支柱２のうち、少なくとも下端部を中空形成しているが、支柱２全体を筒状の部材とすれば足りる（図２）。
【００１６】
＜４＞支柱取付具
支柱取付具３は、支柱２を支持するための部材である。
【００１７】
［支柱取付具の設置態様］
支柱取付具３は、地面や構造物の壁面などの設置面Ｂに、クランプ、ボルト、アンカーなどの公知の固定方法で固定する。
【００１８】
［支柱取付具と支柱との関係］
支柱取付具３は支柱２と取り付け可能な処理を施すことを要する。本実施例では、支柱２の下端に設けてある中空部分に挿入可能な突出部３１を設けてある（図２）。
前記突出部３１は別部材を接合、組み付けるなどして設けても良いし、支柱取付具３を地面に固定するためのアンカーピンの露出部分を突出部３１として兼用するようにしてもよい（図示せず）。
【００１９】
＜５＞固定ワイヤ及びワイヤ固定具
固定ワイヤ４及びワイヤ固定具３は、支柱２間に存するネット１を確実に位置決めするための部材である。
【００２０】
［固定ワイヤ］
固定ワイヤ４は、ネット１の下縁の網目に挿通し、ネット１の長手方向（横方向）に亘ってネット１の両側縁から露出させておく。
【００２１】
［ワイヤ固定具］
ワイヤ固定具５は、地面や構造物の壁面などの設置面Ｂであって、前記支柱取付具から若干離れた位置で、クランプ、ボルト、アンカーピンなどの公知の固定方法で固定しておく（図示せず）。
また、ワイヤ固定具５は、前記固定ワイヤ４を通すための掛止部５１を設けておく（図３）。
【００２２】
［固定ワイヤの位置決め］
ネットの両側縁から露出させておいた固定ワイヤ４を、支柱２を介しつつ掛止部５１で折り返し、途上でワイヤークリップ５２などで留めておく（図３）。
以上の構成とすれば、ネット１の両側縁側から固定ワイヤ４を引張って留めておくことで、ネット１を確実に位置決めすることができる。
また、ワイヤ固定具５は、前記支柱取付具３から若干離れた位置に設けてある為、固定ワイヤ４の先端や、ワイヤークリップ５２等がネット１に干渉して、ネット１の破損を引き起こすことが無い。
【００２３】
なお、図示しないが、本発明は、固定ワイヤ４の一端を支柱２に定着しておき、他端を、前記したワイヤ固定具５で留めるように構成してもよい。
【００２４】
＜６＞支柱押さえ具
支柱押さえ具６は、前記した支柱取付具３とは別に、前記支柱２を補助的に位置決めするための部材である。
【００２５】
［支柱押さえ具の設置態様］
支柱押さえ具６は、構造物の壁面などの設置面Ｂであって、支柱取付具３の略直上の位置に配し（図４）、クランプ、ボルト、アンカーピンなどの公知の固定方法で固定しておく（図示せず）。
【００２６】
［支柱押さえ具と支柱との関係］
支柱押さえ具６には、前記支柱２の外形に対応する挿入穴６１を設けておき、前記挿入穴６１に支柱２の頭部を差し込んで位置決めする（図４）。
なお、支柱押さえ具６と支柱取付具３との対向距離は、支柱２の長さよりも短くしておく。こうすれば、まず始めに支柱押さえ具６の挿入穴６１に支柱２の頭部を差し込み、支柱取付具３の突出部３１を支柱２の下端に挿入するように支柱２を降ろすことで、支柱２を上端近傍及び下端近傍の二点で支持・位置決めすることが可能となる（図１）。
また、上記構成は、支柱の脱着が容易であり、簡易型防護柵Ａの構築・撤去が簡便である。
【００２７】
＜７＞高さ調整ロープ
高さ調整ロープ７は、ネット１の高さを調整するための部材である。
高さ調整ロープ７は、ネット１の上縁の網目に挿通しておき、該高さ調整ロープ７を上下に移動することで、ネット１の高さを調整する。高さ調整ロープ７の両端はそれぞれ支柱に結わえておいてもよいし、高さ調整後に支柱２に定着してもよい。
【００２８】
＜８＞その他
また、本発明は動物の忌避や、人間への注意喚起のために、ネットに反射ロープ８を横架しておいても良い。
【００２９】
＜９＞構築方法
本発明の簡易型防護柵の構築方法について説明する。
簡易型防護柵Ａを現場まで運搬するにあたっては、支柱２にネット１を巻き付け、あたかも巻物のような形態（図５）とし、前記した各種治具とともに運搬する。
現場到着後は、始めに前記した各種治具を設置する。
次に、一方の支柱２を各種治具に取り付けて位置決めし、他方の支柱を引っ張って巻き付けてあるネット１をほどきながら展開し、他方の支柱２を各種治具に取り付けて位置決めする。
最後に、固定ワイヤ４の一端若しくは両端を引っ張りつつ、支柱２及びワイヤ固定具５を介してワイヤークリップ５２などで留める。
以上の工程により防護柵を構築する。
【００３０】
なお、前記した構築方法の各工程は、本発明に係る簡易型防護柵の構築手順を限定するものではなく、可能な範囲で適宜工程を入れ換えてもよい。
【符号の説明】
【００３１】
１    ネット
２    支柱
３    支柱取付具
４    固定ワイヤ
５    ワイヤ固定具
６    支柱押さえ具
７    高さ調整ロープ
８    反射ロープ
Ａ    簡易型防護柵
Ｂ    設置面
【図１】
2014005683.tif 000003
【図２】
2014005683.tif 000004
【図３】
2014005683.tif 000005
【図４】
2014005683.tif 000006
【図５】
2014005683.tif 000007